【手続補正書】
【提出日】平成22年12月17日(2010.12.17)
【手続補正１】
【補正対象書類名】特許請求の範囲
【補正対象項目名】全文
【補正方法】変更
【補正の内容】
【特許請求の範囲】
【請求項１】
電気接続を形成するように構成された雄電気コネクタ電極と雌電気コネクタ電極とを有した電気コネクタ・アセンブリであって、
第１の室と第２の室とを有した雌ハウジングにして、少なくとも１つの前記第１の室の寸法アスペクトが前記第２の室の対応する寸法アスペクトよりも大きい、雌ハウジングと、
前記第１の室の少なくとも一部内に少なくとも部分的に配置された第１の端子にして、該第１の端子が第１の結合長さ部分と少なくとも前記第１の結合長さ部分の一部分に沿って延在する第１の接触面とを有した、第１の端子と、
前記第２の室の少なくとも一部内に少なくとも部分的に配置された第２の端子にして、該第２の端子が第２の結合長さ部分と少なくとも前記第２の結合長さ部分の一部分に沿って延在する第２の接触面とを有した、第２の端子と、
前記第１の室内に装架された第１の弾性部材にして、少なくともその一部が前記第１の端子から離隔している、第１の弾性部材と、
前記第２の室内に装架された第２の弾性部材にして、少なくともその一部が前記第２の端子から離隔している、第２の弾性部材と、を有していて、
前記雄電気コネクタが、前記雌ハウジングの前記第１の室内へ挿入するための第３の結合長さ部分と、該第３の結合長さ部分の少なくとも一部に沿って延在し前記第１の端子を前記第３の端子に前記第１の室内で電気的に結合するための第３の接触面とを有した少なくとも第３の端子を有していて、
前記第１の弾性部材が前記第３の端子上に位置した第１の絶縁カバーに偏倚力を付与するようになっていて、
前記第１の絶縁カバーが、前記第３の端子の前記第３の接触面以外の１つ以上の面を電気的に絶縁するため、前記第１の絶縁カバーが前記第３の端子の前記第３の結合長さ部分の少なくとも一部分に沿って配置されている、電気コネクタ・アセンブリ。
【請求項２】
前記第１の絶縁カバーは前記第３の端子の前記第３の結合長さ部分のほぼ全長に沿って延在している、請求項１に記載の電気コネクタ・アセンブリ。
【請求項３】
前記第１の絶縁カバーは前記第３の端子を支持する第１の雄ハウジングから延在している、請求項１に記載の電気コネクタ・アセンブリ。
【請求項４】
前記第１の絶縁カバーは前記第３の端子を支持する第１の雄ハウジングの延長部を有している、請求項１に記載の電気コネクタ・アセンブリ。
【請求項５】
前記第１の絶縁カバーは前記第１の室の前記第１の端子の前記第１の接触面から見て外方に向いている前記第３の端子の面に沿って延在している、請求項１に記載の電気コネクタ・アセンブリ。
【請求項６】
前記第３の端子が前記第１の室内に少なくとも部分的に挿入されたとき、前記第１の室の前記第１の弾性部材は前記第１の端子の前記第１の接触面と前記第３の端子とを偏倚して接触させる、請求項１に記載の電気コネクタ・アセンブリ。
【請求項７】
前記第３の端子は細長く矩形の長手方向断面を有し、前記第３の接触面は第１の方向に向いた前記第３の端子の面を有し、前記第１の絶縁カバーは前記第１の方向とは反対の方向を向いた前記第３の端子の面を有している、請求項１に記載の電気コネクタ・アセンブリ。
【請求項８】
前記第１の絶縁カバーは前記第３の端子を前記第１の室内に少なくとも部分的に保持するようになっている係合凹所をさらに有している、請求項７に記載の電気コネクタ・アセンブリ。
【請求項９】
前記第１の絶縁カバーは前記第３の端子の端部を越えて延びている、請求項１に記載の電気コネクタ・アセンブリ。
【請求項１０】
前記第１の絶縁カバーは、前記第３の端子の端部を少なくとも部分的に横切って延びている、請求項９に記載の電気コネクタ・アセンブリ。
【請求項１１】
前記第３の端子は、前記第１の室内に前記第３の端子の保持のための第１の保持溝をさらに有している、請求項１０に記載の電気コネクタ・アセンブリ。
【請求項１２】
電気コネクタであって、
絶縁材料からなり、雄コネクタ電極を少なくとも部分的に受け入れるレセプタクル開口を有した雌レセプタクルを少なくとも部分的に形成するハウジングと、
前記雌レセプタクル内に少なくとも部分的に配置された雌電極と、
前記雌レセプタクルによって保持され、雄コネクタ電極が前記雌レセプタクル内に少なくとも部分的に挿入されたときに前記雌電極と雄コネクタ電極を一緒に押圧する弾性部材にして、前記レセプタクル開口から離れる方向に延在しているアンカー部分をさらに有した弾性部材と、
前記ハウジングによって形成され、前記雌レセプタクルから延在しているチャンネルとを有し、
前記ハウジングが前記チャンネル内の前記アンカー部分を前記雌電極から電気的に絶縁するように、前記弾性部材の前記アンカー部分の少なくとも一部が前記チャンネルの少なくとも一部に固着されている、電気コネクタ。
【請求項１３】
前記雌レセプタクル内に少なくとも部分的に挿入自在な雄コネクタ電極と、
前記雄コネクタ電極が前記雌レセプタクル内に少なくとも部分的に挿入された時、前記弾性部材と前記雄コネクタ電極の面の間に少なくとも部分的に配置される絶縁部材をさらに有している、請求項１２に記載の電気コネクタ。
【請求項１４】
前記弾性部材が、前記雌電極と、雄コネクタ電極とを一緒に押圧する弧状部分と、前記弾性部材を前記雌ハウジングに固定するベース部分とさらに有している、請求項１２に記載の電気コネクタ。
【請求項１５】
前記弾性部材が板ばねをさらに有している、請求項１２に記載の電気コネクタ。
【請求項１６】
前記弾性部材がボールとばねの組立体をさらに有している、請求項１２に記載の電気コネクタ。
【請求項１７】
前記弾性部材が前記雌レセプタクルの少なくとも一部をさらに有している、請求項１２に記載の電気コネクタ。
【請求項１８】
前記弾性部材が前記雌電極から電気的に絶縁されている、請求項１２に記載の電気コネクタ。
【請求項１９】
前記ハウジングによって形成されたスロットが前記弾性部材を前記雌電極から電気的に絶縁している、請求項１２に記載の電気コネクタ。
【請求項２０】
前記弾性部材の前記アンカー部分から延在し、スロットの１つ以上の面と係合して前記弾性部材の前記レセプタクルからの引抜きに抵抗する１つ以上の保持部材をさらに有している、請求項１２に記載の電気コネクタ。
【請求項２１】
前記雌電極が圧縮されていない状態のときに前記雌電極の接触面がほぼ平面である、請求項１２に記載の電気コネクタ。
【請求項２２】
第１のコネクタを有した電気コネクタ・アセンブリであって、前記第１のコネクタが、
電気絶縁性の本体部分と、
前記本体部分によって保持された導電性の第１の端子にして、前記本体部分から延在し、前記第１の端子の結合長さ部分に沿って前記本体部分から外に延在している結合面を有し、雌コネクタ・レセプタクル内に配置された第２の端子と電気的に結合する第１の端子と、
前記第１の端子の前記結合長さ部分の少なくとも一部分に沿って配置され、前記第１の端子の前記結合面以外の１つ以上の面を電気的に絶縁する絶縁カバーとを有していて、
前記第１の端子の前記結合長さ部分の少なくとも一部と、前記絶縁カバーと、前記結合面とが雌コネクタ・レセプタクルの開口を通って挿入可能に形成されていて、
前記絶縁カバーが、前記第１の端子の前記結合面から見て外方に向いた前記第１の端子の面の少なくとも一部に沿って、該一部と接触して延在している、電気コネクタ・アセンブリ。
【請求項２３】
電気コネクタにして、
第１の室の少なくとも一部を形成するハウジングと、
前記第１の室の少なくとも一部内に少なくとも部分的に配置された第１の端子と、
前記ハウジングに装架された弾性部材とを有していて、
前記弾性部材は前記第１の端子と結合されてなく、前記弾性部材の少なくとも一部がアンカーを有していて、
前記弾性部材が、前記第１の室内に部分的に挿入された第２の端子に直接接触し直接偏倚力を加え、前記第１の端子と前記第２の端子との間の接触を促進し、
前記ハウジングの少なくとも一部が前記弾性部材の前記アンカーの少なくとも一部を包囲し、前記アンカーを前記ハウジングに固着させ、前記アンカーの少なくとも一部を前記第１の端子から絶縁する、電気コネクタ。
【請求項２４】
第１のコネクタを有した電気コネクタ・アセンブリであって、前記第１のコネクタが、
電気絶縁性のハウジングと、
前記ハウジングによって保持された導電性の第１の端子にして、前記ハウジングから延在し、前記第１の端子の結合長さ部分に沿って前記ハウジングから外に延在している結合面を有し、雌コネクタ・レセプタクル内に配置された第２の端子と電気的に結合する第１の端子と、
前記第１の端子の前記結合長さ部分の少なくとも一部分に沿って配置され、前記第１の端子の前記結合面以外の１つ以上の面を電気的に絶縁する絶縁カバーとを有していて、
前記第１の端子の前記結合長さ部分の少なくとも一部と、前記絶縁カバーと、前記結合面とが雌コネクタ・レセプタクルの開口を通って挿入可能に形成されている、電気コネクタ・アセンブリ。
【請求項２５】
前記絶縁カバーが前記第１の端子の端部を越えて延在している、請求項２４に記載の電気コネクタ・アセンブリ。
【請求項２６】
前記絶縁カバーが前記第１の端子の端部を少なくとも部分的に横切って延在している、請求項２５に記載の電気コネクタ・アセンブリ。
【請求項２７】
前記絶縁カバーが前記第１の端子の前記結合面のほぼ全長に沿って延在している、請求項２４に記載の電気コネクタ・アセンブリ。
【請求項２８】
前記第１の端子が、前記第１のコネクタから所定の距離に配置された保持溝にして、雌コネクタ・レセプタクル内に前記第１の端子を保持するための保持溝をさらに有している、請求項２６に記載の電気コネクタ・アセンブリ。
【請求項２９】
前記絶縁カバーが前記第１のコネクタの前記ハウジングから延在している、請求項２４に記載の電気コネクタ・アセンブリ。
【請求項３０】
前記絶縁カバーが前記第１のコネクタの前記ハウジングの延長部を有している、請求項２４に記載の電気コネクタ・アセンブリ。
【請求項３１】
前記絶縁カバーの少なくとも一部が弾性変形可能であり、前記第１の端子が雌コネクタ・レセプタクル内に少なくとも部分的に挿入された時、前記第１の端子の前記結合面と第２の端子を押して接触させる、請求項２４に記載の電気コネクタ・アセンブリ。
【請求項３２】
前記第１の端子が長手方向矩形断面を有してほぼ細長く、前記接触面が前記第１の端子の下方に向いた面を有していて、前記絶縁カバーが前記第１の端子の上方を向いた面に沿って配置されている、請求項２４に記載の電気コネクタ・アセンブリ。
【請求項３３】
前記絶縁カバーが前記第１の端子を雌コネクタ内に保持するように形成された係合凹所をさらに有している、請求項３２に記載の電気コネクタ・アセンブリ。
【請求項３４】
第２の構成要素と電気的に結合するように形成された第１の構成要素を有している電気コネクタにして、
前記第１の構成要素が少なくとも２つの雄端子を有し、
前記第２の構成要素が少なくとも２つの室を有し、
各室が少なくとも１つの雌端子の少なくとも一部分を内包していて、
前記第１の端子が絶縁ハウジングと少なくとも２つの端子カバーとをさらに有し、
前記少なくとも２つの雄端子が前記絶縁ハウジングから少なくとも部分的に延在し、
各雄端子が前記雄端子の結合長さ部分に沿って前記絶縁ハウジングの外に延在している、各室内に配置された少なくとも１つの雌端子と電気的に結合する接触面を有し、
各端子カバーが各雄端子の前記結合長さ部分の少なくとも一部分に沿って配置され、各雄端子の前記接触面以外の１つ以上の面を覆っていて、
前記少なくとも２つの端子カバーのうちの１つの端子カバーの少なくとも１つの寸法が前記少なくとも２つの端子カバーのうちの他の端子カバーの対応する寸法よりも小さい、電気コネクタ。
【請求項３５】
前記端子カバーの少なくとも１つが電気絶縁材料からなっていて、前記第１の構成要素から延在している前記雄端子の１つの少なくとも遠位端に固定されている、請求項３４に記載の電気コネクタ。
【請求項３６】
第２の構成要素と電気的に結合するように形成された第１の構成要素を有している電気コネクタにして、
前記第１の構成要素が少なくとも２つの雄端子を有し、
前記第２の構成要素が少なくとも２つの室を有し、
各室が少なくとも１つの雌端子の少なくとも一部分を内包していて、
前記第１の端子が絶縁ハウジングと少なくとも２つの端子カバーとをさらに有し、
前記少なくとも２つの雄端子が前記絶縁ハウジングから少なくとも部分的に延在し、
各雄端子が前記雄端子の結合長さ部分に沿って前記絶縁ハウジングの外に延在している、各室内に配置された少なくとも１つの雌端子と電気的に結合する接触面を有し、
各端子カバーが、前記第１の構成要素を前記第２の構成要素に係合させたとき、前記雄端子を対応する雌端子から絶縁している、電気コネクタ。
【請求項３７】
第２の構成要素と電気的に結合するように形成された第１の構成要素を有している電気コネクタにして、
前記第１の構成要素が少なくとも２つの雄端子を有し、
前記第２の構成要素が少なくとも２つの室を有し、
各室が少なくとも１つの雌端子の少なくとも一部分を内包していて、
前記第１の端子が絶縁ハウジングと少なくとも２つの端子カバーとをさらに有し、
前記少なくとも２つの雄端子が前記絶縁ハウジングから少なくとも部分的に延在し、
各雄端子が前記雄端子の結合長さ部分に沿って前記絶縁ハウジングの外に延在している、各室内に配置された少なくとも１つの雌端子と電気的に結合する接触面を有し、
各端子カバーが、前記第１の構成要素から延在している前記雄端子の１つの先端面の少なくとも一部分を覆っていて、
各端子カバーが、前記第１の構成要素が前記第２の構成要素と初期接触する際、前記雄端子の前記先端面を前記雌端子の対応する端面との接触から絶縁している、電気コネクタ。
【請求項３８】
１つ以上の雄端子を支持する絶縁ハウジングと、
少なくとも２つの雄端子にして、少なくとも第１の雄端子が該第１の雄端子の第１の結合長さ部分に沿って前記絶縁ハウジングの外に延在している第１の接触面を有している少なくとも２つの雄端子と、
前記第１の雄端子の前記第１の接触面以外の前記第１の結合長さ部分の部分を覆っている第１の端子カバーと、
前記第１の端子カバーの第１の面の凹所とを有していて、
前記第１の面が前記第１の雄端子の前記第１の結合長さ部分の部分であって前記第１の接触面から反対側の部分を覆っていて、前記少なくとも２つの雄端子を雌コネクタ内に保持している、電気コネクタ。
【請求項３９】
前記第１の端子カバーが前記雄端子の面の少なくとも一部分を絶縁している、請求項３８に記載の電気コネクタ。
【請求項４０】
第２の結合長さ部分に沿って前記絶縁ハウジングの外へ延在している第２の接触面を有した第２の雄端子と、
前記第２の雄端子の前記第２の接触面以外の前記第２の結合長さ部分の部分を覆っている第２の端子カバーとをさらに有していて、
前記第１の端子カバーが前記第２の端子カバーと異なる幅で形成されている、請求項３９に記載の電気コネクタ。
【請求項４１】
雄電気コネクタと結合して電気接続をなすよう形成された雌電気コネクタであって、該雌電気コネクタが、
前記第１の室の少なくとも１つの寸法アスペクトが前記第２の室の対応アスペクトよりも大きい、第１の室と第２の室とを有した雌ハウジングと、
前記第１の室の少なくとも一部内に少なくとも部分的に配置された第１の端子にして、該第１の端子が結合長さ部分と該結合長さ部分の少なくとも一部に沿って延在している、前記第１の端子を前記雄電気コネクタ上の第３の端子に電気的に結合させる第１の接触面とを有している、第１の端子と、
前記第２の室の少なくとも一部内に少なくとも部分的に配置された第２の端子にして、該第２の端子が結合長さ部分と該結合長さ部分の少なくとも一部に沿って延在している、前記第２の端子を前記雄電気コネクタ上の第４の端子に電気的に結合させる第２の接触面とを有している、第２の端子と、
前記第１の室内に装架された第１の弾性部材にして、該第１の弾性部材の少なくとも一部が前記第１の端子から離隔している、第１の弾性部材と、
前記第２の室内に装架された第２の弾性部材にして、該第２の弾性部材の少なくとも一部が前記第２の端子から離隔している、第２の弾性部材とを有していて、
前記第１の弾性部材と前記第２の弾性部材がそれぞれ前記第３の端子上の絶縁カバー及び第４の端子上の絶縁カバーに偏倚力を付与するようになっていて、前記絶縁カバーが前記第３の端子及び第４の端子の結合長さ部分の少なくとも一部に沿って配置されていて、前記第２の端子及び第４の端子各々の１つ以上の面を電気的に絶縁していて、それにより、前記雄電気コネクタが前記雌電気コネクタに結合されたとき、電気接続が確立され、前記弾性部材が前記第１及び第３の端子と前記第２及び第４の端子を係合させて電気的に接触させる、雌電気コネクタ。
【請求項４２】
第１のコネクタを有する電気コネクタ・アセンブリであって、
前記第１のコネクタが、
電気絶縁ハウジングと、
前記電気絶縁ハウジングによって保持された導電性の第１の端子にして、前記電気絶縁ハウジングから延在し、前記第１の端子の結合長さ部分に沿って前記電気絶縁ハウジングの外に延在している、雌コネクタレセプタクル内に配置された第２の端子と電気的に結合する接触面を有している、第１の端子と、
前記第１の端子の前記結合長さ部分の少なくとも前記部分に沿って配置された絶縁カバーにして、前記第１の端子の前記接触面以外の１つ以上の面を電気的に絶縁する絶縁カバーとを有していて、
前記第１の端子の前記結合長さ部分の少なくとも一部と、前記絶縁カバーと、前記接触面が雌コネクタ・レセプタクルの開口を通って挿入自在に形成されていて、
前記絶縁カバーが前記第１の端子の前記接触面から見て反対の方向に向いた前記第１の端子の面の少なくとも一部分に沿って、該面と接触して延在している、電気コネクタ・アセンブリ。
【請求項４３】
電気コネクタであって、
絶縁材料からなり、雌レセプタクルを少なくとも部分的に形成する雌ハウジングにして、雄コネクタ端子を少なくとも部分的に受け入れるレセプタクル開口を有する雌ハウジングと、
前記雌レセプタクル内に少なくとも部分的に配置された雌端子とを有していて、
前記雌レセプタクルの少なくとも１つの壁が弾性変形可能であり、前記雄コネクタ端子が前記雌レセプタクル内に少なくとも部分的に挿入され、前記雌端子の接触面の少なくとも一部と電気的に接触するとき、前記雌端子と雄コネクタ端子とを一緒に押圧するように配置されていて、
前記雌レセプタクルの前記少なくとも１つの壁が前記雌端子と雄コネクタ端子を押圧力で押圧し、前記押圧力の少なくとも一部が少なくとも、前記雌端子の前記長さ部分に直角で前記雌端子の前記長さ部分に横方向に隣接した位置に作用する力成分を有していて、前記雄コネクタ端子が前記雌レセプタクル内に少なくとも部分的に挿入され、前記雌端子の前記接触面の前記少なくとも一部と電気的に接触したとき、前記位置で前記接触面の少なくとも一部が変位させられる、電気コネクタ。
【請求項４４】
前記雌レセプタクルが閉鎖形状断面を有した管形である、請求項４３に記載の電気コネクタ。
【請求項４５】
前記管形がほぼ矩形の断面を有している、請求項４４に記載の電気コネクタ。
【請求項４６】
前記雌ハウジングが一様な絶縁材料からなっている、請求項４３に記載の電気コネクタ。
【請求項４７】
前記雌端子が前記雄コネクタ端子と、前記雌レセプタクルの前記少なくとも１つの壁と前記雄コネクタ端子の少なくとも１つの面との間の締まり嵌めによって結合するように形成されていて、前記雌レセプタクルの前記少なくとも１つの壁を男性的に変形させている、請求項４３に記載の電気コネクタ。
【請求項４８】
前記雄コネクタ端子の前記雌レセプタクル内への導入によって引き起こされた前記雌ハウジングの弾性変形は前記雄コネクタ端子の前記少なくとも１つの面の変形無しで前記雌レセプタクルの前記少なくとも１つの壁によって提供されている、請求項４７に記載の電気コネクタ。
【請求項４９】
前記雌端子接触面の前記少なくとも一部が前記雄コネクタ端子との電気的接触を確立するように形成されていて、ほぼ平面である、請求項４３に記載の電気コネクタ。
【請求項５０】
前記雌端子が矩形の長手方向断面を有してほぼ細長くされていて、前記雌端子の前記接触面がほぼ平面である、請求項４３に記載の電気コネクタ。